(57)【要約】【課題】セグメント表示装置において情報をユーザに分かり易く提示できるようにする。【解決手段】本発明に係るセグメント表示装置（１）は、第１および第２操作入力部（１２、１３）と、セグメント表示部（１０）と、セグメント表示部に表示可能な情報を複数の行および列によって特定される複数のセルから成る表示情報テーブル（１６０）にマッピングして記憶する記憶部（１６）と、記憶部から読み出した情報をセグメント表示部に表示させる表示制御部（１７）とを有し、表示制御部は、第１操作入力部に対して操作が入力される毎に、表示情報テーブルの各セルの情報を表示情報テーブルの列に沿った第１方向（Ｙ）に順番に選択して表示させ、第２操作入力部に対して操作が入力される毎に、表示情報テーブルの各セルの情報を表示情報テーブルの行に沿った第２方向（Ｘ）に順番に選択して表示させることを特徴とする。【選択図】図３
2016081025.tif 000002
【特許請求の範囲】
【請求項１】
外部からの操作を入力する第１操作入力部および第２操作入力部と、
情報をセグメント形式で表示するセグメント表示部と、
前記セグメント表示部に表示可能な情報を、複数の行および列によって特定される複数のセルから成る表示情報テーブルにマッピングすることによって記憶する記憶部と、
前記セルにマッピングされた情報を前記記憶部から読み出して前記セグメント表示部に表示させる表示制御部と、を有し、
前記表示制御部は、前記第１操作入力部に対して操作が入力される毎に、前記表示情報テーブルの各セルにマッピングされた情報を前記表示情報テーブルの列に沿った第１方向に順番に選択して前記セグメント表示部に表示させるとともに、前記第２操作入力部に対して操作が入力される毎に、前記表示情報テーブルの各セルにマッピングされた情報を前記表示情報テーブルの行に沿った第２方向に順番に選択して前記セグメント表示部に表示させる
ことを特徴とするセグメント表示装置。
【請求項２】
請求項１に記載のセグメント表示装置において、
前記セグメント表示部は、前記第１操作入力部に対して操作が入力された場合には、そのとき表示している情報を前記第１操作入力部が示す方向と反対方向に１セグメントずつスクロールさせるとともに、次に表示すべき情報を、前記第１操作入力部が示す方向と反対方向に１セグメントずつスクロールさせて表示させることにより、表示すべき情報を切り替える、
ことを特徴とするセグメント表示装置。
【請求項３】
請求項１または２に記載のセグメント表示装置において、
前記セグメント表示部は、情報をセグメント形式で表示する表示領域を複数桁有し、
前記セグメント表示部は、前記第２操作入力部に対して操作が入力された場合には、そのとき表示している情報を、前記第２操作入力部が示す方向と反対方向に１桁ずつスクロールさせるとともに、次に表示すべき情報を、前記第２操作入力部が示す方向と反対方向に１桁ずつスクロールさせて表示させることにより、表示すべき情報を切り替える、
ことを特徴とするセグメント表示装置。
【請求項４】
請求項１乃至３の何れか一項に記載のセグメント表示装置において、
前記表示制御部は、前記表示情報テーブルの一つの列における前記第１方向の最後の行に対応するセルにマッピングされた情報を表示させているときに、前記第１操作入力部に対して操作が入力された場合には、当該列における前記第１方向の最初の行に対応するセルにマッピングされた情報を前記セグメント表示部に表示させる
ことを特徴とするセグメント表示装置。
【請求項５】
請求項１乃至４の何れか一項に記載のセグメント表示装置において、
前記表示制御部は、前記表示情報テーブルの一つの行において情報がマッピングされたセルのうち前記第２方向の最後の列に対応するセルにマッピングされた情報を表示させているときに、前記第２操作入力部に対して操作が入力された場合には、当該行における前記第２方向の最初の列に対応するセルにマッピングされた情報を前記セグメント表示部に表示させる
ことを特徴とするセグメント表示装置。
【請求項６】
請求項１乃至５の何れか一項に記載のセグメント表示装置において、
外部からの操作を入力する第３操作入力部および第４操作入力部を、更に有し、
前記表示制御部は、前記第３操作入力部に対して操作が入力される毎に、前記表示情報テーブルの各セルにマッピングされた情報を前記表示情報テーブルの前記第１方向と逆の方向に順番に選択して前記セグメント表示部に表示させるとともに、前記第４操作入力部に対して操作が入力される毎に、前記表示情報テーブルの各セルにマッピングされた情報を前記表示情報テーブルの前記第２方向と逆の方向に順番に選択して前記セグメント表示部に表示させる
ことを特徴とするセグメント表示装置。
【請求項７】
請求項６に記載のセグメント表示装置において、
前記セグメント表示部は、前記第３操作入力部に対して操作が入力された場合には、そのとき表示している情報を前記第３操作入力部が示す方向と反対方向に１セグメントずつスクロールさせるとともに、次に表示すべき情報を、前記第３操作入力部が示す方向と反対方向に１セグメントずつスクロールさせて表示させることにより、表示すべき情報を切り替える、
ことを特徴とするセグメント表示装置。
【請求項８】
請求項６または７に記載のセグメント表示装置において、
前記セグメント表示部は、情報をセグメント形式で表示する表示領域を複数桁有し、
前記セグメント表示部は、前記第４操作入力部に対して操作が入力された場合には、そのとき表示している情報を、前記第４操作入力部が示す方向と反対方向に１桁ずつスクロールさせるとともに、次に表示すべき情報を、前記第４操作入力部が示す方向と反対方向に１桁ずつスクロールさせて表示させることにより、表示すべき情報を切り替える、
ことを特徴とするセグメント表示装置。
【発明の詳細な説明】
【技術分野】
【０００１】
本発明は、セグメント表示装置に関する。
【背景技術】
【０００２】
従来から、プラントやビル等の施設における設備の監視・管理を行う制御機器では、コストや長期的な部品の安定供給の面から、液晶表示装置ではなく、複数のセグメントによって情報を表示するセグメント表示装置が用いられている。例えば、ビルオートメーション用のデータサーバ等では、動作ステータス（アプリケーションの起動・停止、オンライン・オフライン等）、エラーコード、および機器アドレス等の各種情報をセグメント表示装置によって表示している。
【０００３】
セグメント表示装置に関する従来技術としては、温水暖房装置の試運転の状況を７セグメント表示装置に表示する方法（特許文献１参照）や、セグメント表示装置によって信号レベルをバーグラフとして表示する方法（特許文献２参照）等が知られている。
【先行技術文献】
【特許文献】
【０００４】
【特許文献１】特開平１１−５１４５３号公報
【特許文献２】特開２００２−６７８８号公報
【発明の概要】
【発明が解決しようとする課題】
【０００５】
しかしながら、従来のセグメント表示装置は、ユーザフレンドリーなインターフェースとは言い難かった。例えば、セグメント表示装置において表示する情報量を増やすためには表示桁数を増やす必要があるが、コストやセグメント表示部を配置するスペースに制限があるため、表示桁数を増やすことは容易ではない。また、セグメント表示装置では、表示させる情報を切り替えるために操作ボタンを設ける必要があるが、上記のようにコストや操作ボタンを配置するスペースに制限があるため、多くの操作ボタンを配置することができない。そのため、従来のセグメント表示装置では、限られた表示桁数で複数の情報を切り替えて表示するために、例えば操作ボタンの長押しや複数の操作ボタンの同時押し等の複雑な操作が必要となり、操作ミスが起こりやすいという問題があった。
【０００６】
また、表示桁数が少ないセグメント表示装置において、複数の項目を切り替えて表示させる場合、操作ボタンの操作とその表示結果との関連性が分かり難いという問題もあった。
【０００７】
本発明は、上記問題点を解消するためになされたものであり、セグメント表示装置において、複数の情報の中から選択した情報をユーザに分かり易く提示できるようにすることを目的とする。
【課題を解決するための手段】
【０００８】
本発明に係るセグメント表示装置（１、５）は、外部からの操作を入力する第１操作入力部（１２）および第２操作入力部（１３）と、情報をセグメント形式で表示するセグメント表示部（１０）と、前記セグメント表示部に表示可能な情報を、複数の行および列によって特定される複数のセルから成る表示情報テーブル（１６０）にマッピングすることによって記憶する記憶部（１６）と、前記セルにマッピングされた情報を前記記憶部から読み出して前記セグメント表示部に表示させる表示制御部（１７）とを有し、前記表示制御部は、前記第１操作入力部に対して操作が入力される毎に、前記表示情報テーブルの各セルにマッピングされた情報を前記表示情報テーブルの列に沿った第１方向（＋Ｙ）に順番に選択して前記セグメント表示部に表示させるとともに、前記第２操作入力部に対して操作が入力される毎に、前記表示情報テーブルの各セルにマッピングされた情報を前記表示情報テーブルの行に沿った第２方向（＋Ｘ）に順番に選択して前記セグメント表示部に表示させることを特徴とする。
【０００９】
上記セグメント表示装置において、前記セグメント表示部は、前記第１操作入力部に対して操作が入力された場合には、そのとき表示している情報を前記第１操作入力部が示す方向と反対方向に１セグメントずつスクロールさせるとともに、次に表示すべき情報を、前記第１操作入力部が示す方向と反対方向に１セグメントずつスクロールさせて表示させることにより、表示すべき情報を切り替えてもよい。
【００１０】
上記セグメント表示装置において、前記セグメント表示部は、情報をセグメント形式で表示する表示領域を複数桁有し、前記セグメント表示部は、前記第２操作入力部に対して操作が入力された場合には、そのとき表示している情報を、前記第２操作入力部が示す方向と反対方向に１桁ずつスクロールさせるとともに、次に表示すべき情報を、前記第２操作入力部が示す方向と反対方向に１桁ずつスクロールさせて表示させることにより、表示すべき情報を切り替えてもよい。
【００１１】
上記セグメント表示装置において、前記表示制御部は、前記表示情報テーブルの一つの列における前記第１方向の最後の行に対応するセルにマッピングされた情報を表示させているときに、前記第１操作入力部に対して操作が入力された場合には、当該列における前記第１方向の最初の行に対応するセルにマッピングされた情報を前記セグメント表示部に表示させてもよい。
【００１２】
上記セグメント表示装置において、前記表示制御部は、前記表示情報テーブルの一つの行において情報がマッピングされたセルのうち前記第２方向の最後の列に対応するセルにマッピングされた情報を表示させているときに、前記第２操作入力部に対して操作が入力された場合には、当該行における前記第２方向の最初の列に対応するセルにマッピングされた情報を前記セグメント表示部に表示させてもよい。
【００１３】
上記セグメント表示装置（５）において、外部からの操作を入力する第３操作入力部（１４）および第４操作入力部（１５）を更に有し、前記表示制御部は、前記第３操作入力部に対して操作が入力される毎に、前記表示情報テーブルの各セルにマッピングされた情報を前記表示情報テーブルの前記第１方向と逆の方向（−Ｙ）に順番に選択して前記セグメント表示部に表示させるとともに、前記第４操作入力部に対して操作が入力される毎に、前記表示情報テーブルの各セルにマッピングされた情報を前記表示情報テーブルの前記第２方向と逆の方向（−Ｘ）に順番に選択して前記セグメント表示部に表示させてもよい。
【００１４】
上記セグメント表示装置において、前記セグメント表示部は、前記第３操作入力部に対して操作が入力された場合には、そのとき表示している情報を前記第３操作入力部が示す方向と反対方向に１セグメントずつスクロールさせるとともに、次に表示すべき情報を、前記第３操作入力部が示す方向と反対方向に１セグメントずつスクロールさせて表示させることにより、表示すべき情報を切り替えてもよい。
【００１５】
上記セグメント表示装置において、前記セグメント表示部は、情報をセグメント形式で表示する表示領域を複数桁有し、前記セグメント表示部は、前記第４操作入力部に対して操作が入力された場合には、そのとき表示している情報を、前記第４操作入力部が示す方向と反対方向に１桁ずつスクロールさせるとともに、次に表示すべき情報を、前記第４操作入力部が示す方向と反対方向に１桁ずつスクロールさせて表示させることにより、表示すべき情報を切り替えてもよい。
【００１６】
なお、上記説明において括弧を付した参照符号は、図面において当該参照符号が付された構成要素の概念に含まれるものを例示するに過ぎない。
【発明の効果】
【００１７】
以上説明したことにより、本発明によれば、セグメント表示装置において、複数の情報の中から選択した情報をユーザに分かり易く提示することができる。
【図面の簡単な説明】
【００１８】
【図１】図１は、本発明の一実施の形態に係るセグメント表示装置を備えたデータサーバを示す図である。
【図２】図２は、実施の形態１に係るセグメント表示装置の外観の一例を示す図である。
【図３】図３は、実施の形態１に係るセグメント表示装置の内部構成を例示する図である。
【図４】図４は、実施の形態１に係るセグメント表示装置に記憶される表示情報テーブルの一例を示す図である。
【図５Ａ】図５Ａは、実施の形態１に係るセグメント表示装置による情報の表示の切り替わり手順の具体例を示す図である。
【図５Ｂ】図５Ｂは、実施の形態１に係るセグメント表示装置による情報の表示の切り替わり手順の別の具体例を示す図である。
【図６】図６は、表示情報テーブル内の各データに対するアドレスの割り当て例を示す図である。
【図７Ａ】図７Ａは、図５Ａにおける表示状態ｔ１から表示状態ｔ２に切り替える場合における、表示情報のスクロール表示の一例を示す図である。
【図７Ｂ】図７Ｂは、図５Ａにおける表示状態ｔ２から表示状態ｔ３に切り替える場合における、表示情報のスクロール表示の一例を示す図である。
【図８】図８は、実施の形態１に係るセグメント表示装置によってイメージされるデータ空間を示す図である。
【図９】図９は、実施の形態２に係るセグメント表示装置の外観の一例を示す図である。
【図１０】図１０は、実施の形態２に係るセグメント表示装置の内部構成を例示する図である。
【図１１】図１１は、実施の形態２に係るセグメント表示装置による表示情報テーブルを用いた情報の表示方法を説明するための図である。
【図１２】図１２は、実施の形態２に係るセグメント表示装置による情報の表示の切り替わり手順の別の具体例を示す図である。
【図１３Ａ】図１３Ａは、図１２における表示状態ｔ１から表示状態ｔ２に切り替える場合における、表示情報のスクロール表示の一例を示す図である。
【図１３Ｂ】図１３Ｂは、図１２における表示状態ｔ３から表示状態ｔ４に切り替える場合における、表示情報のスクロール表示の一例を示す図である。
【図１４】図１４は、本発明に係るセグメント表示装置による情報の表示の切り替わり手順の別の具体例を示す図である。
【発明を実施するための形態】
【００１９】
以下、本発明の実施の形態について図を参照して説明する。
【００２０】
≪実施の形態１≫
図１は、本発明の一実施の形態に係るセグメント表示装置を備えたデータサーバを示す図である。
同図に示されるデータサーバ２は、例えばビルオートメーション用のサーバであり、ネットワーク４を介して、空調設備等を構成する機器やセンサ等を制御する複数の制御コントローラ３＿１〜３＿３と接続されている。具体的に、データサーバ２は、例えば制御コントローラ３＿１〜３＿３を介して、各制御コントローラ３＿１〜３＿３に接続されている機器やセンサ等を監視し、監視対象の各種情報を取得し、蓄積する。
なお、図１において３つの制御コントローラ３＿１〜３＿３を図示しているが、データサーバ２に接続される制御コントローラの個数に特に制限はない。
【００２１】
データサーバ２は、上述したセグメント装置１を備えており、自らの動作ステータス（例えばアプリケーションの起動・停止、オンライン・オフライン等）、エラーコード、および機器アドレス等の各種情報を、セグメント装置１によって表示することが可能になっている。また、例えば、制御コントローラ３＿１〜３＿ｎも同様にセグメント装置１を備えており、各種の情報の表示が可能となっている。
【００２２】
図２に、本発明の一実施の形態に係るセグメント表示装置の外観の一例を示す。
同図に示されるセグメント表示装置１は、数値やアルファベット等の情報をセグメント方式で表示する表示領域１１を有するセグメント表示部１０と、外部からの操作を受け付ける操作入力部としての操作ボタン１２、１３とを備えている。
【００２３】
セグメント表示装置１は、例えばユーザによる操作ボタン１２、１３の押下操作に応じて、必要な情報をセグメント表示部１０に表示する。以下、セグメント表示装置１の具体的な構成について説明する。
【００２４】
図３は、実施の形態１に係るセグメント表示装置の内部構成を例示する図である。
図３に示されるように、セグメント表示装置１は、セグメント表示部１０、操作ボタン１２、１３、記憶部１６、および表示制御部１７を有する。
【００２５】
操作ボタン１２、１３は、ユーザによる押下操作を検出し、操作検出信号を出力する。操作ボタン１２、１３は、後述する表示情報テーブル１６０のデータ空間のＹ，Ｘ座標軸に夫々対応している。例えば、操作ボタン１２は、表示情報テーブル１６０のデータ空間の第１方向としてのＹ方向（列方向）に対応し、操作ボタン１３は、表示情報テーブル１６０のデータ空間の第２方向としてのＸ方向（行方向）に対応している。
詳細は後述するが、操作ボタン１２、１３に対する押下操作により、後述するセグメント表示部１０に表示される情報が切り替わる。
【００２６】
セグメント表示部１０は、複数のセグメントから成る表示領域１１を複数桁分有し、表示制御部１７から与えられた表示情報１８を複数の表示領域１１に表示させる。表示領域１１を構成する各セグメントは、例えば、ＬＥＤや蛍光表示管、液晶等から構成されている。
なお、本実施の形態では、図２に示すように、セグメント表示部１０が４桁分の表示領域１１を有し、一つの表示領域１１が７つのセグメントから成る場合を一例として説明するが、セグメント表示部１０の表示桁数と表示領域１１のセグメント数に特に制限はない。
【００２７】
記憶部１６は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）およびフラッシュメモリ等のデータの書き換えが可能な不揮発性の記憶装置やＲＡＭ（Ｒａｎｄｏｍ  Ａｃｃｅｓｓ  Ｍｅｍｏｒｙ）等によって構成されている。記憶部１６には、例えば、セグメント表示部１０に表示可能な各種の情報や、表示制御部１７によって実行される制御プログラム等が記憶されている。
【００２８】
ここで、セグメント表示部１０に表示可能な各種の情報とは、例えば、上述したように、動作ステータスの情報、エラーコードの情報、および機器アドレスの情報等である。
【００２９】
具体的に、記憶部１６は、上述したセグメント表示部１０に表示可能な各種の情報を、複数の行および列から成る表示情報テーブル（データ空間）１６０にマッピングすることによって記憶する。
【００３０】
図４は、実施の形態１に係るセグメント表示装置に記憶される表示情報テーブルの一例を示す図である。なお、同図には、セグメント表示装置１をデータサーバ２に適用した場合において、データサーバ２の動作ステータス等を、セグメント表示装置１によって表示するためのｎ行×ｍ列の表示情報テーブル１６０が一例として示されている。ここで、ｍ、ｎは、ともに２以上の整数である。
【００３１】
図４に示されるように、表示情報テーブル１６０は、行番号Ｙおよび列番号Ｘによって特定される複数のセル１６１を有し、夫々のセル１６１に、セグメント表示部１０に表示すべき情報が割り当てられている。例えば、図４の場合、列番号Ｘ＝０において行番号Ｙ＝１〜ｎで特定される各セルには、表示すべき情報の種類を示す“機能名”の情報が夫々割り当てられている。例えば、図４では、機能名の情報“Ｆ００１〜Ｆ００４”に、データサーバ２の動作状態、機器アドレス、ソフトウェアバージョン、および内部温度が夫々割り当てられている。また、列番号Ｘ＝２〜ｍと行番号Ｙ＝１〜ｎとによって特定される各セル１６１には、各機能名に係る具体的な情報が割り当てられている。
【００３２】
例えば、（Ｘ，Ｙ）＝（１，１）のセルには、機能名“Ｆ００１（データサーバ２の動作状態）”が割り当てられ、（Ｘ，Ｙ）＝（２，１）〜（ｍ，１）には、データサーバ２の動作状態を示す具体的な情報“０００１−０２００”が割り当てられている。また、例えば、（Ｘ，Ｙ）＝（１、２）のセルには、機能名“Ｆ００２（データサーバ２の機器アドレス）”が割り当てられ、（Ｘ，Ｙ）＝（２、２）〜（ｍ、２）には、データサーバ２の機器アドレスを示す情報“１９２．１６８．１．２４０”が割り当てられている。
【００３３】
上述したように、（Ｘ，Ｙ）＝（２、１）〜（ｍ、ｎ）の各セルには、各機能名（Ｆ００１〜Ｆｎ）に係る具体的な情報が割り当てられる。具体的な割り当て例を以下に示す。
【００３４】
例えば、セグメント表示部１０に表示すべき情報の文字数がセグメント表示部１０の表示桁数を超える場合には、その情報を複数に区切り（分割し）、区切られた情報を（Ｘ，Ｙ）＝（２、１）〜（ｍ、ｎ）の各セルに夫々割り当てればよい。例えば、図２に示すようにセグメント表示部１０が４桁の表示領域１１を有するとき、“データサーバ２の動作状態”を示す情報が“０００１−０２００”である場合には、図４に示すように、当該情報を“０００１”と“０００２”に分割し、分割した２つの情報を、（Ｘ，Ｙ）＝（２、１）のセルと（Ｘ，Ｙ）＝（３、１）のセルとに夫々割り当てる。
【００３５】
また、セグメント表示部１０に表示すべき情報が複数の情報の塊から構成されている場合には、それらの情報の塊と最大の表示桁数とを考慮して情報を分割し、各セルに割り当ててもよい。例えば、図４に示されるように、“Ｆ００２（データサーバ２の機器アドレス）”を示す情報が“１９２．１６８．１．２４０”である場合には、図４に示すように、当該情報を“１９２”、“１６８”、“１”、および“２４０”の４つの情報に分割し、分割した情報を、（Ｘ，Ｙ）＝（２，２）、（３，２）、（４，２）、（５，２）の各セルに夫々割り当てればよい。
【００３６】
表示制御部１７は、操作ボタン１２、１３からの操作検出信号に応じて、記憶部１６に記憶されている表示情報テーブル１６０内の情報をＹ方向またはＸ方向に順番に選択してセグメント表示部１０に表示させる。
具体的に、表示制御部１７は、操作ボタン１２に対する操作が入力される毎に、表示情報テーブル１６０の各セルにマッピングされた情報を表示情報テーブル１６０の列方向（Ｙ方向）に順番に選択してセグメント表示部１０に与える。より具体的には、表示制御部１７は、操作ボタン１２が押される毎に、そのとき表示している表示情報テーブル１６０上のセルから＋Ｙ方向に１セル分だけ移動した先のセルを選択し、当該セルに割り当てられた情報をセグメント表示部１０に表示させる。
【００３７】
また、表示制御部１７は、操作ボタン１３に対する操作が入力される毎に、表示情報テーブル１６０の各セルにマッピングされた情報を表示情報テーブル１６０の行方向（Ｘ方向）に順番に選択してセグメント表示部１０に与える。より具体的には、表示制御部１７は、操作ボタン１３が押される毎に、そのとき表示している表示情報テーブル１６０上のセルから＋Ｘ方向に１セル分だけ移動した先のセルを選択し、当該セルに割り当てられた情報をセグメント表示部１０に表示させる。
【００３８】
図５Ａ、５Ｂに、実施の形態１に係るセグメント表示装置による情報の表示の切り替わり手順の具体例を示す。なお、図５Ａ、５Ｂでは、説明を容易にするため、図４に示した表示情報テーブル１６０が４行×５列のテーブル（ｎ＝４、ｍ＝５）である場合を一例として示している。
ここでは、一例として、セグメント表示部１０の初期表示情報として、、図４に示した表示情報テーブル１６０における（Ｘ，Ｙ）＝（１、１）のセルが初期設定されている場合を考える。
【００３９】
図５Ａに示すように、初期の表示状態、すなわち、（Ｘ，Ｙ）＝（１，１）のセルの情報“Ｆ００１”をセグメント表示部１０に表示している表示状態ｔ１において、操作ボタン１２（Ｙ方向）が押されたら、表示制御部１７は、（Ｘ，Ｙ）＝（１、２）のセルに割り当てられている情報“Ｆ００２”を表示情報テーブル１６０から読み出してセグメント表示部１０に表示させる（表示状態ｔ２）。
【００４０】
表示状態ｔ２において、操作ボタン１３（＋Ｘ方向）が押されたら、表示制御部１７は、（Ｘ，Ｙ）＝（２、２）のセルに割り当てられている情報“１９２”を表示情報テーブル１６０から読み出してセグメント表示部１０に表示させる（表示状態ｔ３）。更に、表示状態ｔ３において、更に操作ボタン１３が押された場合には、表示制御部１７は、（Ｘ，Ｙ）＝（３、２）のセルに割り当てられている情報“１６８”を表示情報テーブル１６０から読み出してセグメント表示部１０に表示させる。その後も同様に、操作ボタン１３が押される毎に、参照符号ｔ４、ｔ５、ｔ６に示されるように表示情報テーブル１６０上をＸ方向に１セルずつ移動して情報を選択し、セグメント表示部１０に表示させる。
【００４１】
そして、表示制御部１７は、“Ｆ００２（データサーバ２の機器アドレス）”についての最後の区切りの情報、すなわち（Ｘ，Ｙ）＝（５、２）のセルに割り当てられている情報“２４０”を、セグメント表示部１０に表示している状態において、操作ボタン１３が更に押された場合には、再び（Ｘ，Ｙ）＝（１，２）のセルに戻り、当該セルの情報“Ｆ００２”を再び表示させる（表示状態ｔ１）。
【００４２】
また、図５Ｂに示すように、（Ｘ，Ｙ）＝（１、２）のセルに割り当てられている情報“Ｆ００２”をセグメント表示部１０に表示させている表示状態ｔ２において、操作ボタン１２（Ｙ方向）が押されたら、表示制御部１７は、（Ｘ，Ｙ）＝（１、３）のセルに割り当てられている情報“Ｆ００３”を表示情報テーブル１６０から読み出してセグメント表示部１０に表示させる（表示状態ｔ３）。更に、図５Ｂにおける表示状態ｔ３において、操作ボタン１２が押された場合には、表示制御部１７は、（Ｘ，Ｙ）＝（１、４）のセルに割り当てられている情報“Ｆ００４”を表示情報テーブル１６０から読み出してセグメント表示部１０に表示させる。その後も同様に、操作ボタン１２が押される毎に、表示情報テーブル１６０上をＹ方向に１セルずつ移動して情報を選択し、セグメント表示部１０に表示させる。
【００４３】
そして、表示制御部１７は、列番号Ｘ＝１における最後の行番号Ｙ＝ｎの情報をセグメント表示部１０に表示している状態において、操作ボタン１２が押された場合には、再び、初期の表示状態に戻る。例えば、図５Ｂに示すように、（Ｘ，Ｙ）＝（１，４）のセルの情報“Ｆ００４”を表示している表示状態ｔ４において、操作ボタン１２が押された場合には、（Ｘ，Ｙ）＝（１，１）のセルに戻り、当該セルの割り当てられている情報“Ｆ００１”を表示させる。
【００４４】
上述の操作ボタン１２、１３に応じた表示情報の切り替わり制御は、図３に示すように、表示制御部１７がアドレス算出処理部１７０および情報読出部１７１として機能することによって実現される。例えば、表示制御部１７は、ＣＰＵ等のプログラム処理装置であり、記憶部１６０に記憶されている上記制御プログラムに従って処理を実行することにより、アドレス算出処理部１７０および情報読出部１７１として機能する。
【００４５】
アドレス算出処理部１７０は、操作ボタン１２、１３から出力された操作検出信号に基づいて、アドレス情報を生成する。ここで、アドレス情報とは、記憶部１６における記憶領域を特定するメモリアドレスの情報である。情報読出部１７１は、アドレス算出処理部１７０によって生成されたアドレス情報を入力し、入力したアドレス情報によって特定されるメモリアドレスに記憶された情報（データ）を記憶部１６から読み出し、読み出した情報を表示情報１８としてセグメント表示部１０に与える。
【００４６】
以下、アドレス算出処理部１７０によるアドレス情報の生成方法について詳細に説明する。
図６は、表示情報テーブル１６０におけるアドレスの割り当て例を示す図である。同図には、４行×４列の表示情報テーブル１６０（ｍ＝ｎ＝４）が一例として示されている。
【００４７】
図６における表示情報テーブル１６０の各セル１６１は、記憶部１６におけるメモリアドレスで特定される記憶領域に夫々対応付けられている。例えば、図６に示されるように、（Ｘ，Ｙ）＝（１、１）のセルはメモリアドレス“０ｘ０００１”で特定される記憶領域に対応付けられ、（Ｘ，Ｙ）＝（１、２）のセルはメモリアドレス“０ｘ０００２”で特定される記憶領域に対応付けられ、（Ｘ，Ｙ）＝（１、３）のセルはメモリアドレス“０ｘ０００３”で特定される記憶領域に対応付けられ、（Ｘ，Ｙ）＝（１、４）のセルはメモリアドレス“０ｘ０００１”で特定される記憶領域に対応付けられている。同様に、（Ｘ，Ｙ）＝（２、１）〜（２、４）のセルは、メモリアドレス“０ｘ０００５”〜“０ｘ０００８”で特定される記憶領域に対応付けられ、（Ｘ，Ｙ）＝（３、１）〜（３、４）のセルはメモリアドレス“０ｘ０００９”〜“０ｘ０００Ｃ”で特定される記憶領域に対応付けられ、（Ｘ，Ｙ）＝（４、１）〜（４、４）のセルはメモリアドレス“０ｘ０００Ｄ”〜“０ｘ００１０”で特定される記憶領域に対応付けられている。
【００４８】
次に、アドレス情報の生成手順について説明する。
例えばセグメント表示装置１のリセットが解除されたら、先ず、アドレス算出処理部１７０は、セグメント表示部１０に表示させる表示情報を指定する指定アドレスに初期値に設定する。例えば、指定アドレスを（Ｘ，Ｙ）＝（１、１）に対応するメモリアドレス“０ｘ０００１”に設定する。
【００４９】
初期設定後、アドレス算出処理部１７０は、操作ボタン１２（Ｙ方向）が押される毎に、指定アドレスの値に“＋１”を順次加算することにより、指定アドレスを逐次更新する。例えば、先ず、アドレス算出処理部１７０は、初期状態において操作ボタン１２が押されたら、アドレスの初期値“０ｘ０００１”に“＋１”を加算して指定アドレス“０ｘ０００２”を生成し、情報読出部１７１に与える。その後、更に操作ボタン１２が押されたら、アドレス算出処理部１７０は、アドレス“０ｘ０００２”に“＋１”を加算して指定アドレス“０ｘ０００３”を生成し、情報読出部１７１に与える。その後も同様に、操作ボタン１２が押される毎に、そのときのアドレスに“＋１”を加算することによって指定アドレスを更新し、情報読出部１７１に与える。情報読出部１７１は、アドレス算出処理部１７０から与えられるメモリアドレスが更新される毎に、当該メモリアドレスで指定された情報を記憶部１６から逐次読み出し、セグメント表示部１０に与える。
【００５０】
また、表示情報テーブル１６０上の一つの列における最後の行のセルの情報がセグメント表示部１０に表示されている状態において、操作ボタン１２が押されたら、アドレス算出処理部１７０は、当該列の最初の行のセルに対応する指定アドレスを生成する。例えば、表示情報テーブル１６０上の一つの列における最後の行のセル指定アドレスの生成後に操作ボタン１２が押された場合には、アドレス算出処理部１７０は、そのときの指定アドレスに、“−｛（最後の行番号）−１｝”を加算することにより、指定アドレスを生成し、情報読出部１７１に与える。例えば、図６に示すように、表示情報テーブル１６０上のＸ＝１の列における最後の行のセルの指定アドレス“０ｘ０００４”が生成された後に、操作ボタン１２が押されたら、アドレス算出処理部１７０は、“−３（＝−（４−１））”を“０ｘ０００４”に加算することによって指定アドレス“０ｘ０００１”を生成し、情報読出部１７１に与える。
【００５１】
以上のように、操作ボタン１２への操作入力に応じて記憶部１６の指定アドレスを更新することにより、一つの列における各セルの情報を、行番号に従って順番にセグメント表示部１０に表示させることができる。
【００５２】
一方、初期設定後、操作ボタン１３が押される毎に、アドレス算出処理部１７０は、指定アドレスの値に“＋４”を順次加算することにより、指定アドレスを逐次更新する。例えば、アドレス算出処理部１７０は、初期状態において操作ボタン１３が押されたら、アドレスの初期値“０ｘ０００１”に“＋４”を加算して指定アドレス“０ｘ０００５”を生成し、情報読出部１７１に与える。その後、更に操作ボタン１３が押されたら、アドレス算出処理部１７０は、アドレス“０ｘ０００５”に“＋４”を加算して指定アドレス“０ｘ０００９”を生成し、情報読出部１７１に与える。その後も同様に、操作ボタン１３が押される毎に、そのときのアドレスに“＋４”を加算することによって指定アドレスを更新し、情報読出部１７１に与える。
【００５３】
また、表示情報テーブル１６０の一つの行における情報がマッピングされたセルのうちＸ方向の最後のセルにマッピングされた情報を表示させている状態において、操作ボタン１３が押されたら、アドレス算出処理部１７０は、当該行の最初の列のセルに対応する指定アドレスを生成する。例えば、４行目（Ｙ＝４）におけるセルのうち１〜３列目（Ｘ＝１〜３）のセルに情報が割り当てられ、（Ｘ，Ｙ）＝（３，４）のセルの情報をセグメント表示部１０に表示している場合について考える。この場合に、アドレス算出処理部１７０が生成した最新の指定アドレスは、“０ｘ０００Ｃ”である。この状態において、操作ボタン１３が押された場合には、アドレス算出処理部１７０は、指定アドレス“０ｘ０００Ｃ”に、“−４×｛（情報が割り当てられているセルの列番号）−１｝”を加算することにより、指定アドレスを生成し、情報読出部１７１に与える。より具体的には、上記の場合、４行目（Ｙ＝４）におけるセルのうち３列目（Ｘ＝３）のセルまで情報が割り当てられているので、“−８（＝−４×（３−１））”を“０ｘ０００Ｃ”に加算することによって指定アドレス“０ｘ０００４”を生成し、情報読出部１７１に与える。
例えば、前述の図４の場合において、“ソフトウェアバージョン（Ｆ００３）”を示す最後の情報“１００”、すなわち（Ｘ、Ｙ）＝（４、３）のセル（アドレス：０ｘ０００Ｆ）の情報を表示している状態において、操作ボタン１３が押された場合には、アドレス算出処理部１７０が“−１２（＝−４×（４−１））”をアドレス“０ｘ０００Ｆ”に加算して指定アドレス“０ｘ０００３”を生成し、情報読出部１７１に与えることにより、（Ｘ、Ｙ）＝（１、３）のセルの情報“Ｆ００３”がセグメント表示部１０に表示される。
【００５４】
以上のように、操作ボタン１３への操作入力に応じて記憶部１６の指定アドレスを更新することにより、一つの行において情報が割り当てられた各セルの情報を、列番号に従って順番にセグメント表示部１０に表示させることができる。
【００５５】
上記の説明では、実施の形態１に係るセグメント表示装置１が、操作ボタン１２、１３への操作入力に応じて表示情報を速やかに切り替える場合を例示したが、これに限らず、操作ボタン１２、１３への操作入力に応じて表示情報をスクロールさせることにより、表示すべき情報を切り替えるようにしてもよい。以下、上記のスクロール表示について、前述の図５Ａの場合を例にとり、詳細に説明する。
【００５６】
図７Ａは、図５Ａにおける表示状態ｔ１から表示状態ｔ２に切り替える場合における、表示情報のスクロール表示の一例を示す図である。図７Ｂは、図５Ａにおける表示状態ｔ２から表示状態ｔ３に切り替える場合における、表示情報のスクロール表示の一例を示す図である。
【００５７】
先ず、情報“Ｆ００１”を表示している表示状態ｔ１において、操作ボタン１２（＋Ｙ方向）が押された場合には、表示制御部１７は、（Ｘ，Ｙ）＝（１、２）のセルに割り当てられている情報“Ｆ００２”を表示情報テーブル１６０から読み出してセグメント表示部１０に表示させる。このとき、セグメント表示部１０は、図７Ａの表示状態ｔ１１に示すように、表示状態ｔ１において表示していた情報“Ｆ００１”を、図２における操作ボタン１２が示す方向と反対方向（図２のセグメント表示部１０を正面から見たときの上方向）に１セグメントずつスクロールさせるとともに、次の情報“Ｆ００２”を、上記上方向に１セグメントずつスクロールさせて表示させる。
【００５８】
次に、情報“Ｆ００２”を表示している表示状態ｔ２において操作ボタン１３（＋Ｘ方向）が更に押された場合には、表示制御部１７は、（Ｘ，Ｙ）＝（２、２）のセルに割り当てられている情報“１９２”を表示情報テーブル１６０から読み出してセグメント表示部１０に表示させる。このとき、セグメント表示部１０は、表示状態ｔ２１に示すように、表示状態ｔ２において表示していた情報“Ｆ００２”を、図２における操作ボタン１３が示す方向と反対方向（図２のセグメント表示部１０を正面から見た左方向）に表示領域１１を１桁ずつスクロールさせるとともに、次の情報“１９２”を、上記左方向に表示領域１１を１桁ずつスクロールさせて表示させる。なお、図５Ａにおける表示状態ｔ４、ｔ５、ｔ６、およびｔ１への切り替わり時においても同様に、表示情報をスクロールさせる。
【００５９】
以上、本発明に係るセグメント表示装置によれば、操作ボタンに対する操作入力に応じて、表示情報テーブル内の情報を、表示情報テーブルの行方向および列方向に沿って順番に選択してセグメント表示させるので、複数の情報の中から選択した情報をユーザに分かり易く提示することが可能となる。すなわち、本セグメント表示装置によれば、図８に示すように、覗き窓１０Ａとしてのセグメント表示部１０が表示情報テーブル１６０から成るデータ空間１６２上をＸ方向（行方向）およびＹ方向（列方向）に移動するようなイメージをユーザに与えることができるので、ユーザは、数少ない操作ボタンとセグメント情報という少ない情報量ながら、多くの情報の中から所望の情報を容易に得ることが可能となる。
【００６０】
また、操作ボタン１２、１３への操作入力に応じて表示情報を切り替える際に、上述のように表示情報をスクロールさせて切り替えることにより、上述のデータ空間１６２において覗き窓１０Ａが操作ボタン１２、１３の示す方向（Ｘ方向およびＹ方向）に移動するイメージを、ユーザに対してより強く抱かせることができるので、ユーザは目的とする情報を得ることが更に容易となる。
【００６１】
≪実施の形態２≫
図９は、実施の形態２に係るセグメント表示装置の外観の一例を示す図である。
同図に示されるセグメント表示装置５は、更に２つの操作入力部を有する点において、実施の形態１に係るセグメント表示装置１と相違し、その他の点はセグメント表示装置１と同様である。なお、実施の形態２に係るセグメント表示装置５において、実施の形態１に係るセグメント表示装置１と同様の構成要素には同一の符号を付してその詳細な説明を省略する。
【００６２】
図９に示されるように、セグメント表示装置５は、操作入力部として操作ボタン１４、１５を更に備える。操作ボタン１４、１５は、操作ボタン１２、１３と同様に、外部（ユーザ）からの押下操作の入力を検出し、操作検出信号を出力する。操作ボタン１４は、例えば、表示情報テーブル１６０のデータ空間の列方向（Ｙ方向）に対応しており、操作ボタン１２が対応する方向（＋Ｙ方向）と反対の方向（−Ｙ方向）に対応している。また、操作ボタン１５は、例えば、表示情報テーブル１６０のデータ空間の行方向（Ｘ方向）に対応しており、操作ボタン１３が対応する方向（＋Ｘ方向）と反対の方向（−Ｘ方向）に対応している。操作ボタン１２、１３と同様に、操作ボタン１４、１５に対する押下操作により、表示情報テーブル１６０上の情報をＹ方向またはＸ方向に、１セルずつ切り替えてセグメント表示部１０に表示させる表示動作が制御される。
【００６３】
図１０は、実施の形態２に係るセグメント表示装置５の内部構成を示す図である。
同図に示されるように、表示制御部２７は、表示制御部１７と同様に、操作ボタン１２〜１５からの操作検出信号に応じて、所望の情報を記憶部１６の表示情報テーブル１６０から読み出し、表示情報１８としてセグメント表示部１０に与える。
【００６４】
具体的に、表示制御部２７は、操作ボタン１２に対する操作入力される毎に、表示情報テーブル１６０の各セルにマッピングされた情報を表示情報テーブル１６０の＋Ｙ方向に順番に選択してセグメント表示部１０に与え、操作ボタン１４に対する操作が入力される毎に、表示情報テーブル１６０の各セルにマッピングされた情報を表示情報テーブル１６０の−Ｙ方向に順番に選択してセグメント表示部１０に与える。
【００６５】
また、表示制御部２７は、操作ボタン１３に対する操作が入力される毎に、表示情報テーブル１６０の各セルにマッピングされた情報を表示情報テーブル１６０の＋Ｘ方向に順番に選択してセグメント表示部１０に与え、操作ボタン１５に対する操作が入力される毎に、表示情報テーブル１６０の各セルにマッピングされた情報を表示情報テーブル１６０の−Ｘ方向に順番に選択してセグメント表示部１０に与える。
【００６６】
図１１は、実施の形態２に係るセグメント表示装置における操作入力部による表示情報の切り替わり手順を説明するための図である。
図１１に示されるように、セグメント表示部１０に表示させるセルの初期値として、例えば（Ｘ，Ｙ）＝（１，１）が設定されている状態において、操作ボタン１２が押される毎に、表示制御部２７は、表示制御部１７と同様に、１列目（Ｘ＝１）における１行目（Ｙ＝１）からｎ行目（Ｙ＝ｎ）までの情報を＋Ｙ方向に沿って順番に選択し、セグメント表示部１０に表示させる。例えば、操作ボタン１２が押される毎に、１列目（機能名）の情報を、“Ｆ００１”、“Ｆ００２”、“Ｆ００３”…、“Ｆｎ”の順に選択して表示させる。
【００６７】
一方、セルの初期値として（Ｘ，Ｙ）＝（１，１）が設定されている状態において、操作ボタン１４が押される毎に、表示制御部２７は、１列目（Ｘ＝１）における１行目からｎ行目までの情報を−Ｙ方向に沿って順番に選択し、セグメント表示部１０に表示させる。例えば、操作ボタン１４が押される毎に、１列目（識別情報）における情報を、“Ｆｎ”…、“Ｆ００３”、“Ｆ００２”、“Ｆ００１”の順に選択して表示させる。
【００６８】
また、例えば、セグメント表示部１０に表示させるセルの初期値として（Ｘ，Ｙ）＝（１，１）が設定されている状態において、操作ボタン１３が押される毎に、表示制御部２７は、表示制御部１７と同様に、１行目（Ｙ＝１）における１列目（Ｘ＝１）からｍ列目（Ｘ＝ｍ）までの情報を＋Ｘ方向に沿って順番に選択し、セグメント表示部１０に表示させる。例えば、操作ボタン１３が押される毎に、１行目における情報を、“０００１”、“０２００”、“Ｆ００１”、“０００１”、“０２００”、…の順に選択して表示させる。
【００６９】
一方、セルの初期値として（Ｘ，Ｙ）＝（１，１）が設定されている状態において、操作ボタン１５が押される毎に、表示制御部２７は、１行目（Ｙ＝１）における１列目（Ｘ＝１）からｍ列目（Ｘ＝ｍ）までの情報を−Ｘ方向に沿って順番に選択し、セグメント表示部１０に表示させる。例えば、操作ボタン１５が押される毎に、１行目における情報を“０２００”、“０００１”、“Ｆ００１”、“０２００”、“０００１”、…の順に選択して表示させる。
【００７０】
表示制御部２７は、アドレス算出処理部２７０と情報読出部１７１とから構成されている。アドレス算出処理部２７０は、アドレス算出処理部１７０と同様に、操作ボタン１２〜１５から供給された操作検出信号に基づいてアドレス情報を生成する。具体的に、アドレス算出処理部２７０は、操作ボタン１２が押される毎に、指定アドレスの値に“＋１”を順次加算して指定アドレスを逐次更新するとともに、操作ボタン１４が押される毎に、指定アドレスの値に“−１”を順次加算して指定アドレスを逐次更新する。
【００７１】
また、表示情報テーブル１６０上の一つの列における最初の行のセルの情報がセグメント表示部１０に表示されている状態において、操作ボタン１４が押されたら、アドレス算出処理部２７０は、当該列の最後の行のセルに対応する指定アドレスを生成する。例えば、表示情報テーブル１６０上の一つの列における最初の行のセル指定アドレスの生成後に操作ボタン１４が押された場合には、アドレス算出処理部２７０は、そのときの指定アドレスに、“＋｛（最後の行番号）−１｝”を加算することにより、指定アドレスを生成し、情報読出部１７１に与える。例えば、図６に示すように、表示情報テーブル１６０上のＸ＝１の列における最初の行のセルの指定アドレス“０ｘ０００１”の情報を表示している状態において、操作ボタン１４が押されたら、アドレス算出処理部２７０は、“＋３（＝＋（４−１））”を“０ｘ０００１”に加算することによって指定アドレス“０ｘ０００４”を生成し、情報読出部１７１に与える。
【００７２】
更に、アドレス算出処理部２７０は、アドレス算出処理部１７０と同様に、操作ボタン１３が押される毎に、指定アドレスの値に“＋４”を順次加算して指定アドレスを逐次更新するとともに、操作ボタン１５が押される毎に、指定アドレスの値に“−４”を順次加算して指定アドレスを逐次更新する。
【００７３】
また、表示情報テーブル１６０の一つの行における情報がマッピングされたセルのうちＸ方向の最初のセルにマッピングされた情報を表示させている状態において、操作ボタン１５が押されたら、アドレス算出処理部２７０は、当該行における情報が割り当てられた最後の列のセルに対応する指定アドレスを生成する。例えば、前述の図６において、４行目（Ｙ＝４）における各セルのうち３列目（Ｘ＝３）のセルまで情報が割り当てられている場合に、（Ｘ、Ｙ）＝（１、４）のセル（アドレス：０ｘ０００４）の情報を表示している状態において操作ボタン１５が押されたら、アドレス算出処理部２７０は、当該指定アドレス“０ｘ０００４”に、“＋４×｛（情報が割り当てられているセルの列番号）−１｝”を加算することにより、指定アドレスを生成し、情報読出部１７１に与える。より具体的には、上記の場合、“＋８（＝＋４×（３−１））”を“０ｘ０００４”に加算することによって指定アドレス“０ｘ０００Ｃ”を生成し、情報読出部１７１に与える。
【００７４】
上記の説明では、実施の形態２に係るセグメント表示装置５が、操作ボタン１２〜１５への操作入力に応じて表示情報を速やかに切り替える場合を例示したが、これに限られず、操作ボタン１２〜１５への操作入力に応じて表示情報をスクロールさせることにより、表示すべき情報を切り替えるようにしてもよい。以下、詳細に説明する。
【００７５】
図１２は、実施の形態２に係るセグメント表示装置による情報の表示の切り替わり手順の別の具体例を示す図である。図１３Ａは、図１２における表示状態ｔ１から表示状態ｔ２に切り替える場合における、表示情報のスクロール表示の一例を示す図である。図１３Ｂは、図１２における表示状態ｔ３から表示状態ｔ４に切り替える場合における、表示情報のスクロール表示の一例を示す図である。
【００７６】
図１２における情報“Ｆ００３”を表示している表示状態ｔ１において、操作ボタン１４（−Ｙ方向）が押された場合には、表示制御部２７は、（Ｘ，Ｙ）＝（１、２）のセルに割り当てられている情報“Ｆ００２”を表示情報テーブル１６０から読み出してセグメント表示部１０に表示させる。このとき、セグメント表示部１０は、図１３Ａの表示状態ｔ１１に示すように、表示状態ｔ１において表示していた情報“Ｆ００３”を、図２における操作ボタン１４が示す方向と反対方向（図２のセグメント表示部１０を正面から見たときの下方向）に１セグメントずつスクロールさせるとともに、次の情報“Ｆ００２”を、上記下方向に１セグメントずつスクロールさせて表示させる。
【００７７】
次に、図１２の情報“Ｆ００２”を表示している表示状態ｔ２において、操作ボタン１３（＋Ｘ方向）が更に押された場合には、図７Ｂと同様に、セグメント表示部１０は、表示状態ｔ２において表示していた情報“Ｆ００２”を、図２における操作ボタン１３が示す方向と反対方向（図２のセグメント表示部１０を正面から見たときの左方向）に１桁ずつスクロールさせるとともに、次の情報“１９２”を、上記左方向に１桁ずつスクロールさせて表示させる。
【００７８】
次に、図１２の情報“１９２”を表示している表示状態ｔ３において、操作ボタン１５（−Ｘ方向）が押された場合には、表示制御部２７は、（Ｘ，Ｙ）＝（１、２）のセルに割り当てられている情報“Ｆ００２”を、表示情報テーブル１６０から読み出してセグメント表示部１０に表示させる。このとき、セグメント表示部１０は、図１３Ｂの表示状態ｔ２１に示すように、図１２の表示状態ｔ３において表示していた情報“１９２”を、図２における操作ボタン１５が示す方向と反対方向（図２のセグメント表示部１０を正面から見たときの右方向）に１桁ずつスクロールさせるとともに、次の情報“１９２”を、上記右方向に１桁ずつスクロールさせて表示させる。
【００７９】
次に、図１２の情報“Ｆ００２”を表示している表示状態ｔ４において、操作ボタン１２（＋Ｙ方向）が更に押された場合には、図７Ａと同様に、セグメント表示部１０は、表示状態ｔ４において表示していた情報“Ｆ００２”を、図２における操作ボタン１２が示す方向と反対方向（図２のセグメント表示部１０を正面から見た上方向）に１セグメントずつスクロールさせるとともに、次の情報“Ｆ００３”を、上記上方向に１セグメントずつスクロールさせて表示させる。
【００８０】
以上、実施の形態２に係るセグメント表示装置によれば、実施の形態１に係るセグメント表示装置と同様に、複数の情報の中から選択した情報をユーザに分かり易く提示することが可能となる。
【００８１】
また、実施の形態２に係るセグメント表示装置によれば、セグメント表示させる情報を、表示情報テーブルから成るデータ空間上の＋Ｘ方向および＋Ｙ方向のみならず、−Ｘ方向および−Ｙ方向にも移動させることができるので、ユーザの利便性が向上する。例えば、表示情報が多い場合に、後ろの方にある情報を手早く表示させることが可能となり、所望の情報を表示させるまでの時間を短縮することができる。
【００８２】
また、実施の形態１に係るセグメント表示装置と同様に、操作ボタン１２〜１５への操作入力に応じて表示情報を切り替える際に、上述のように表示情報をスクロールさせて切り替えることにより、上述のデータ空間１６２において覗き窓１０Ａが操作ボタン１２〜１５の示す方向（±Ｘ方向および±Ｙ方向）に移動するイメージを、ユーザに対してより強く抱かせることができるので、ユーザは目的とする情報を得ることが更に容易となる。
【００８３】
以上、本発明者らによってなされた発明を実施の形態に基づいて具体的に説明したが、本発明はそれに限定されるものではなく、その要旨を逸脱しない範囲において種々変更可能であることは言うまでもない。
【００８４】
例えば、上記実施の形態において、操作入力部として操作ボタン１２〜１５を例示したが、これに限られず、タッチセンサ等によって実現することも可能である。
【００８５】
上記実施の形態において、本発明に係るセグメント表示装置が４桁の表示領域を有する場合を例示したが、これに限られない。例えば、表示領域が１桁であっても良いし、２桁、３桁等であってもよい。また、上記実施の形態において、セグメント表示装置が７セグメント表示である場合を例示したが、これに限られず、小数点の表示が可能な８セグメント表示や１４セグメント表示等であってもよい。
【００８６】
また、上記実施の形態では、実施の形態１、２に係るセグメント表示装置をデータサーバや制御コントローラに適用する場合を例示したが、セグメント表示装置を備えるその他の機器にも同様に適用することができる。
【００８７】
また、上記実施の形態では、表示制御部１７、２７の具体的な構成として、アドレス算出処理部１７０、２７０と情報読出部１７１とを設けた構成を例示したが、これはあくまで一例であり、セグメント表示部１０に表示させる情報を、操作ボタン１２〜１５からの操作検出信号に応じて表示情報テーブル１６０の行および列方向に沿って順番に切り替えることができれば、別の構成を採用してもよい。
【００８８】
また、上記実施の形態では、セグメント表示部１０の初期表示として、（Ｘ、Ｙ）＝（１，１）のセルの情報“Ｆ００１”を表示する場合を例示したが、これに限られず、初期表示状態として、初期表示情報を表示するようにしてもよい。例えば、表示情報テーブル１６０が３行×３列（ｍ＝ｎ＝３）である場合に、図１４に示すように、初期表示情報（例えば、“−  −  −  −”とする。）を予め設定しておき、初めに初期表示情報をセグメント表示部１０に表示させる。その状態において、操作ボタン１２が押された場合には、（Ｘ、Ｙ）＝（１，１）のセルの情報“Ｆ００１”を表示させ、その後更に、操作ボタン１２が押された場合には、（Ｘ、Ｙ）＝（１，２）のセルの情報“Ｆ００２”を表示させる。また、列番号Ｘ＝１における最後の行のセルの情報（例えば図１４における情報“Ｆ００３”）を表示している状態において、更に操作ボタン１２が押された場合には、再び初期表示情報“−  −  −  −”を表示させる。このように、セグメント表示部１０の表示の切り替えを、初期表示情報を起点にして行うようにしてもよい。
【符号の説明】
【００８９】
１、５…セグメント表示装置、２…データサーバ、３＿１〜３＿ｎ…制御コントローラ、４…ネットワーク、１０…セグメント表示部、１１…表示領域、１２〜１５…操作ボタン、１６…記憶部、１６０…表示情報テーブル、１６１…セル、１７、２７…表示制御部、１７０、２７０…アドレス算出処理部、１７１…情報読出部、１８…表示情報。
【図１】
2016081025.tif 000003
【図２】
2016081025.tif 000004
【図３】
2016081025.tif 000005
【図４】
2016081025.tif 000006
【図５Ａ】
2016081025.tif 000007
【図５Ｂ】
2016081025.tif 000008
【図６】
2016081025.tif 000009
【図７Ａ】
2016081025.tif 000010
【図７Ｂ】
2016081025.tif 000011
【図８】
2016081025.tif 000012
【図９】
2016081025.tif 000013
【図１０】
2016081025.tif 000014
【図１１】
2016081025.tif 000015
【図１２】
2016081025.tif 000016
【図１３Ａ】
2016081025.tif 000017
【図１３Ｂ】
2016081025.tif 000018
【図１４】
2016081025.tif 000019